(57)【要約】      （修正有）【課題】背部と腰部に当てると同時に、腰部をマッサージでき、マッサージ効果も疲労解消効果も優れる新型マッサージバックレストを提供。【解決手段】新型マッサージバックレストであって、マッサージ機器に関し、新型マッサージバックレストは、取付室を有する内殻と前記取付室内に取付けられ、使用時、人体の背部に当接し、当接後、前記取付室に沿って摺動可能な背もたれシートと前記背もたれシートと前記内殻との間に設置され、一端が前記取付室の底部に固定して組み立てられ、他端が前記背もたれシートに固定して組み立てられ、前記背もたれシートの復帰用の復元力を提供する弾性体４と前記背もたれシートに設置され、人体が前記背もたれシートに当接する時、人体に理学療法マッサージを行うマッサージユニット５と前記内殻の外面と前記背もたれシートに被覆される可撓性体。【選択図】図１
0003221653.tif 000002
【実用新案登録請求の範囲】
【請求項１】
取付室（６）を有する内殻（１）と、
前記取付室（６）内に取り付けられ、使用時、人体の背部に当接し、当接後、前記取付室（６）に沿って摺動可能な背もたれシート（２）と、
前記背もたれシート（２）と前記内殻（１）との間に設置され、一端が前記取付室（６）の底部に固定して組み立てられ、他端が前記背もたれシート（２）に固定して組み立てられ、前記背もたれシート（２）の復帰用の復元力を提供する弾性体（３）と、
前記背もたれシート（２）に設置され、人体が前記背もたれシート（２）に当接する時、人体に理学療法マッサージを行うマッサージユニットと、
前記内殻（１）の外面と前記背もたれシート（２）に被覆される可撓性体（５）と、
を備えることを特徴とする、新型マッサージバックレスト。
【請求項２】
前記背もたれシート（２）に取付溝（７）が設置され、前記マッサージユニットは、
前記取付溝（７）内に設置され、マッサージ時、人体に接触し、人体を振動マッサージするマッサージヘッド（８）と、
前記マッサージヘッド（８）の内部に設置され、前記マッサージヘッド（８）の振動に動力を供給する動力源（９）と、
前記取付室（６）内に設置され、前記動力源（９）に電気的に接続される充電式電源（１０）と、
前記背もたれシート（２）に設置され、使用時、人体に接触し、人体の押圧によって前記動力源（９）をオンにするスタートスイッチ（１１）と、
を備えることを特徴とする、請求項１に記載の新型マッサージバックレスト。
【請求項３】
前記マッサージヘッド（８）は２つ設置され、等脚台形形状であることを特徴とする、
請求項２に記載の新型マッサージバックレスト。
【請求項４】
前記マッサージヘッド（８）の前記人体に近い側のマッサージ面は円弧状とされることを特徴とする、
請求項３に記載の新型マッサージバックレスト。
【請求項５】
前記マッサージヘッド（８）に可撓性シリコーンスリーブが套設されることを特徴とする、
請求項４に記載の新型マッサージバックレスト。
【請求項６】
前記背もたれシート（２）は中部から、人体から離間した側に向かって窪んで円弧状となることを特徴とする、
請求項５に記載の新型マッサージバックレスト。
【請求項７】
前記マッサージユニットは、前記背もたれシート（２）に嵌設され、人体に磁気療法マッサージを行う磁気療法ユニット（１２）をさらに備えることを特徴とする、
請求項１−６のいずれか一項に記載の新型マッサージバックレスト。
【請求項８】
前記背もたれシート（２）に収納溝（１３）が設置され、前記磁気療法ユニット（１２）は、
前記取付溝（７）内に部分的に収納され、突出部分が人体に接触し、前記収納溝（１３）に対して転がって人体をマッサージする磁気療法用ボール（１４）と、
前記磁気療法用ボール（１４）と前記収納溝（１３）との間に設置され、前記磁気療法用ボール（１４）と前記収納溝（１３）との間の摺動摩擦を転がり摩擦に変換する非磁性ボール（１５）と、を備えることを特徴とする、請求項７に記載の新型マッサージバックレスト。
【請求項９】
前記磁気療法用ボール（１４）は磁性ボール、前記非磁性ボール（１５）は銅製ボール又はアルミニウム合金製ボールであることを特徴とする、
請求項８に記載の新型マッサージバックレスト。
【請求項１０】
前記可撓性体（５）はメモリラテックス又はスポンジであることを特徴とする、
請求項１に記載の新型マッサージバックレスト。
【考案の詳細な説明】
【技術分野】
【０００１】
本考案はマッサージ機器の技術分野に関し、具体的には、新型マッサージバックレストに関する。
【背景技術】
【０００２】
長時間デスクワークをする人々は、背や腰が不快になりやすく、非常に疲れ、体に安全上のリスクをもたらし、仕事に不便を招いてしまう。この場合、座り方を改善し、座りっぱなしによる疲労を解消するために、バックレストを腰に当てることがあり、このような方法によって、疲労解消効果をある程度改善できるが、マッサージヘッドがないため、疲労を解消する効果が理想的ではない。現在、良い解決策はない。
【考案の概要】
【考案が解決しようとする課題】
【０００３】
本考案は、従来技術の欠陥や欠点に対して、背や腰に当てるとともに、腰をマッサージでき、マッサージ効果も疲労解消効果も良好である利点を有する新型マッサージバックレストを提供することを目的とする。
【課題を解決するための手段】
【０００４】
上記目的を実現するために、本考案の技術案は以下の通りである。新型マッサージバックレストであって、取付室を有する内殻と、前記取付室内に取り付けられ、使用時、人体の背部に当接し、当接後、前記取付室に沿って摺動可能な背もたれシートと、前記背もたれシートと前記内殻との間に設置され、一端が前記取付室の底部に固定して組み立てられ、他端が前記背もたれシートに固定して組み立てられ、前記背もたれシートの復帰用の復元力を提供する弾性体と、前記背もたれシートに設置され、人体が前記背もたれシートに当接する時、人体に理学療法マッサージを行うマッサージユニットと、前記内殻の外面と前記背もたれシートに被覆される可撓性体と、を備える。
【０００５】
前記背もたれシートに取付溝が設置され、前記マッサージユニットは、前記取付溝内に設置され、マッサージ時、人体に接触して振動マッサージを行うマッサージヘッドと、前記マッサージヘッドの内部に設置され、前記マッサージヘッドの振動に動力を供給する動力源と、前記取付室内に設置され、前記動力源に電気的に接続される充電式電源と、前記背もたれシートに設置され、使用時、人体に接触し、人体の押圧によって前記動力源をオンにするスタートスイッチと、を備える。
【０００６】
前記マッサージヘッドは、２つ設置され、等脚台形形状である。
【０００７】
前記マッサージヘッドの前記人体に近い側のマッサージ面は円弧状とされる。
【０００８】
前記マッサージヘッドに可撓性シリコーンスリーブが套設される。
【０００９】
前記背もたれシートは中部から、人体から離間した側に向かって窪んで円弧状となる。
【００１０】
前記マッサージユニットは、前記背もたれシートに嵌設され、人体に磁気療法マッサージを行う磁気療法ユニットをさらに備える。
【００１１】
前記背もたれシートに収納溝が設置され、前記磁気療法ユニットは、前記取付溝内に部分的に収納され、突出部分が人体に接触し、前記収納溝に対して転がって人体をマッサージする磁気療法用ボールと、前記磁気療法用ボールと前記収納溝との間に設置され、前記磁気療法用ボールと前記収納溝との間の摺動摩擦を転がり摩擦に変換する非磁性ボールと、を備える。
【００１２】
前記磁気療法用ボールは磁性ボールであり、前記非磁性ボールは銅製ボール又はアルミニウム合金製ボールである。
【００１３】
前記可撓性体はメモリラテックス又はスポンジである。
【考案の効果】
【００１４】
上記技術案によれば、本考案の有益な効果について、新型マッサージバックレストを使用する際に、まずバックレストを椅子に置き、その後、後ろに寄りかかり腰部を背もたれシートの窪み部分に当接させ、より一層後ろに寄りかかってバックレストを押出すると、背もたれシートに取り付けられたスタートスイッチが押出力の作用で、動力源をオンにして動作を開始させ、マッサージヘッドを振動駆動して、人体をマッサージし、マッサージすると同時に、人体のほかの部分が背もたれシートにおける磁気療法用ボールに接触し、人体を振動マッサージする時、人体の軽い振動により、人体を磁気療法用ボールに対して転がらせ、それにより人体に理学療法マッサージを行う。このように設置された新型マッサージバックレストは、背部と腰部に当てると同時に、腰部をマッサージでき、マッサージ効果も疲労解消効果も優れる利点を有する。また、磁気療法用ボールと収納溝との間にサブボールが設置されることで、磁気療法用ボールと収納溝との間の摩擦力を減少させ、磁気療法用ボールの耐用年数を確保し、ユーザーのマッサージ体験を向上させる。
【図面の簡単な説明】
【００１５】
本考案の実施例又は従来技術の技術案をより明確に説明するために、以下、実施例又は従来技術の説明に必要な図面を簡単に説明する。明らかなように、後述する図面は本考案のいくつかの実施例に過ぎず、当業者であれば、創造的な努力をせずに、これらの図面に基づいてほかの図面を想到し得る。
【００１６】
【図１】図１は本実施例の全体構造模式図である。
【図２】図２は本実施例の分解図である。
【考案を実施するための形態】
【００１７】
以下、図面を参照して本考案をさらに詳細に説明する。
【００１８】
後述する実施例は本考案を説明するためのものであって、本考案を制限するものではなく、当業者が本明細書を閲覧して必要に応じて創造的な努力をせずに本実施例を変更できるが、本考案の登録請求の範囲に属する限り、実用新案法によって保護される。
【００１９】
本実施例は新型マッサージバックレストに関し、図１、２に示すように、内殻１、背もたれシート２、弾性体３、マッサージユニット及び可撓性体５を備える。
【００２０】
図１、２に示すように、内殻１は取付室６を有し、背もたれシート２が取付室６内に取り付けられ、使用時、背もたれシート２が人体の背部に当接し、当接後、取付室６に沿って摺動可能である。弾性体３は、背もたれシート２と内殻１との間に設置され、一端が取付室６の底部に固定して組み立てられ、他端が背もたれシート２に固定して組み立てられ、背もたれシート２の復帰用の復元力を提供する。マッサージユニットは、背もたれシート２に設置され、人体が背もたれシート２に当接する時、人体に理学療法マッサージを行う。可撓性体５は、内殻１の外面と背もたれシート２に被覆され、可撓性体５を設置することによってユーザー体験を向上させる。
【００２１】
図１、２に示すように、本実施例では、ユーザー体験を確保するために、内殻１全体を台形とし、背もたれシート２を人体により確実に当接させるために、背もたれシート２を円弧状とする。背もたれシート２にマッサージユニットを取り付けるための取付溝７が設置される。弾性体３はゴム製弾性ブロックであり、可撓性体５はシリコン天然ラテックスからなり、天然ラテックスを人体に接触させることで、接触時の触感を向上させ、ユーザー体験を確保する。ほかの実施例では、内殻１は円弧状、又は半円筒形とされてもよい。背もたれシート２の人体に近い側を波状とすることで、バックレストのユーザー体験を向上させる。弾性体３は弾性片、又はばねであってもよい。
【００２２】
図１、２に示すように、マッサージユニットは、マッサージヘッド８、動力源９、充電式電源１０、スタートスイッチ１１及び磁気療法ユニット１２を備える。マッサージヘッド８は、取付溝７内に設置され、マッサージ時、人体に接触し、人体を振動マッサージする。動力源９は、マッサージヘッド８の内部に設置され、マッサージヘッド８の振動に動力を供給する。充電式電源１０は、取付室６内に設置され、動力源９に電気的に接続される。スタートスイッチ１１は、背もたれシート２に設置され、使用時、人体に接触し、人体の押圧により動力源９をオンにする。磁気療法ユニット１２は、背もたれシート２に嵌設され、人体に磁気療法マッサージを行う。
【００２３】
図１、２に示すように、本実施例では、マッサージヘッド８は、上下に２つ配置され、等脚台形形状を有し、マッサージヘッド８と人体とのフィット感を高めるために、等脚台形形状のマッサージヘッド８の人体に近い側を、内へ窪んだ円弧状とする。動力源９は振動モータ、充電式電源１０はリチウム電池、スタートスイッチ１１はタクトスイッチである。マッサージヘッド８が人体に接触する時の触感を確保するために、マッサージヘッド８に可撓性シリコーンスリーブが套設され、それによりユーザー体験を向上させる。ほかの実施例では、マッサージヘッド８は３つ、４つ等であってもよく、マッサージヘッド８は左右に配置されてもよく、マッサージヘッド８の形状は球状、又は楕円体形状であってもよい。
【００２４】
図１、２に示すように、背もたれシート２に収納溝１３が設置され、磁気療法ユニット１２は、磁気療法用ボール１４及び非磁性ボール１５を備える。磁気療法用ボール１４は、取付溝７内に部分的に収納され、突出部分が人体に接触し、収納溝１３に対して転がって人体をマッサージする。磁気療法用ボール１４と収納溝１３との間の摩擦力を減少させて、磁気療法用ボール１４の耐用年数を確保するとともに、ユーザー体験を向上させるために、磁気療法用ボール１４と収納溝１３との間にサブボールが設置され、サブボールは磁気療法用ボール１４と収納溝１３との間の摺動摩擦を転がり摩擦に変換して、摩擦を減少させる目的を達成する。
【００２５】
図１、２に示すように、本実施例では、磁気療法用ボール１４は磁性ボール、非磁性ボール１５は銅製ボールである。収納溝１３は４０個設置され、磁気療法用ボール１４は４０個設置され、各収納溝１３内に５個のサブボールが設置され、サブボールの直径が磁気療法用ボール１４の直径未満である。ほかの実施例では、非磁性ボール１５はアルミニウム合金製ボール、真鍮製ボールであり、磁気療法用ボール１４の数は４５個、３５個等であってもよく、各収納溝１３内に５個のサブボール、７個のサブボール等が設置されてもよい。
【００２６】
本実施例の動作原理の概要を説明する。新型マッサージバックレストを使用する際に、まずバックレストを椅子に置き、その後、後ろに寄りかかり腰部を背もたれシートの窪み部分に当接させ、より一層後ろに寄りかかってバックレストを押出すると、背もたれシート２に取り付けられたスタートスイッチ１１が押出力の作用で、動力源９をオンにして動作を開始させ、マッサージヘッド８を振動駆動して、人体をマッサージし、マッサージすると同時に、人体のほかの部分が背もたれシート２における磁気療法用ボール１４に接触し、人体を振動マッサージする時、人体の軽い振動により、人体を磁気療法用ボールに対して転がらせ、それにより人体に理学療法マッサージを行う。  このように設置された新型マッサージバックレストは、背部と腰部に当てると同時に、腰部をマッサージでき、マッサージ効果も疲労解消効果も優れる利点を有する。
【００２７】
以上、本考案の技術案を説明するためのものに過ぎず、限定するためのものではなく、当業者による本考案の技術案へのほかの変更や同等の置換は、本考案の技術案の趣旨と範囲を逸脱しない限り、本考案の登録請求の範囲に属する。
【符号の説明】
【００２８】
１、内殻；２、背もたれシート；３、弾性体；４、マッサージユニット；５、可撓性体；６、取付室；７、取付溝；８、マッサージヘッド；９、動力源；１０、充電式電源；１１、スタートスイッチ；１２、磁気療法ユニット；１３、収納溝；１４、磁気療法用ボール；１５、非磁性ボール。
【図１】
0003221653.tif 000003
【図２】
0003221653.tif 000004
【手続補正書】
【提出日】平成31年4月4日(2019.4.4)
【手続補正１】
【補正対象書類名】実用新案登録請求の範囲
【補正対象項目名】全文
【補正方法】変更
【補正の内容】
【実用新案登録請求の範囲】
【請求項１】
取付室（６）を有する内殻（１）と、
前記取付室（６）内に取り付けられ、使用時、人体の背部に当接し、当接後、前記取付室（６）に沿って摺動可能な背もたれシート（２）と、
前記背もたれシート（２）と前記内殻（１）との間に設置され、一端が前記取付室（６）の底部に固定して組み立てられ、他端が前記背もたれシート（２）に固定して組み立てられ、前記背もたれシート（２）の復帰用の復元力を提供する弾性体（３）と、
前記背もたれシート（２）に設置され、人体が前記背もたれシート（２）に当接する時、人体に理学療法マッサージを行うマッサージユニットと、
前記内殻（１）の外面と前記背もたれシート（２）に被覆される可撓性体（５）と、
を備えることを特徴とする、新型マッサージバックレスト。
【請求項２】
前記背もたれシート（２）に取付溝（７）が設置され、前記マッサージユニットは、
前記取付溝（７）内に設置され、マッサージ時、人体に接触し、人体を振動マッサージするマッサージヘッド（８）と、
前記マッサージヘッド（８）の内部に設置され、前記マッサージヘッド（８）の振動に動力を供給する動力源（９）と、
前記取付室（６）内に設置され、前記動力源（９）に電気的に接続される充電式電源（１０）と、
前記背もたれシート（２）に設置され、使用時、人体に接触し、人体の押圧によって前記動力源（９）をオンにするスタートスイッチ（１１）と、
を備えることを特徴とする、請求項１に記載の新型マッサージバックレスト。
【請求項３】
前記マッサージヘッド（８）は２つ設置され、等脚台形形状であることを特徴とする、
請求項２に記載の新型マッサージバックレスト。
【請求項４】
前記マッサージヘッド（８）の前記人体に近い側のマッサージ面は円弧状とされることを特徴とする、
請求項３に記載の新型マッサージバックレスト。
【請求項５】
前記マッサージヘッド（８）に可撓性シリコーンスリーブが套設されることを特徴とする、
請求項４に記載の新型マッサージバックレスト。
【請求項６】
前記背もたれシート（２）は中部から、人体から離間した側に向かって窪んで円弧状となることを特徴とする、
請求項５に記載の新型マッサージバックレスト。
【請求項７】
前記マッサージユニットは、前記背もたれシート（２）に嵌設され、人体に磁気療法マッサージを行う磁気療法ユニット（１２）をさらに備えることを特徴とする、
請求項１−６のいずれか一項に記載の新型マッサージバックレスト。
【請求項８】
前記背もたれシート（２）に取付溝（７）と収納溝（１３）とが設置され、前記磁気療法ユニット（１２）は、
前記取付溝（７）内に部分的に収納され、突出部分が人体に接触し、前記収納溝（１３）に対して転がって人体をマッサージする磁気療法用ボール（１４）と、
前記磁気療法用ボール（１４）と前記収納溝（１３）との間に設置され、前記磁気療法用ボール（１４）と前記収納溝（１３）との間の摺動摩擦を転がり摩擦に変換する非磁性ボール（１５）と、を備えることを特徴とする、請求項７に記載の新型マッサージバックレスト。
【請求項９】
前記磁気療法用ボール（１４）は磁性ボール、前記非磁性ボール（１５）は銅製ボール又はアルミニウム合金製ボールであることを特徴とする、
請求項８に記載の新型マッサージバックレスト。
【請求項１０】
前記可撓性体（５）はメモリラテックス又はスポンジであることを特徴とする、
請求項１に記載の新型マッサージバックレスト。